(57)【要約】【課題】            エプロンシートの上腕部当接範囲を切除せずに残存させて高速製造するのに適した構造とし、しかも使い易い簡易エプロンを提案する。【解決手段】        切除せずにエプロンシートに残存させた上腕部当接範囲２Ｃを折り曲げ用切り込み線５によって上腕部当接範囲２Ｃと胸部被い部２Ａとを分ける略縦線状の境界線２Ｌに沿って折り曲げ自在な折り曲げ片６として機能させた。よって、この上腕部当接範囲が着用者の上腕部にまつわりつくのを防止でき、使い易い。【選択図】          図１
2008266816.tif 000002
【特許請求の範囲】
【請求項１】
着用者の腹部を被う横幅を有する不織布、紙、樹脂シートなどの切断加工容易な素材から成る連続シートを該連続シートの長手方向と交わる切断線で一定の縦幅に切断して得られた縦横幅のエプロンシートであり、このエプロンシートの縦幅方向に胸部被い部と腹部被い部を上下に配し、この胸部被い部の横幅方向の両側に配された着用者の上腕部に当接される一対の上腕部当接範囲を切除せずに残存させたエプロンシートにおいて、
前記上腕部当接範囲を除く前記エプロンシートの上端部に２本の首紐の一端側をそれぞれ固着して形成したエプロンであり、前記エプロンシートの前記上腕部当接範囲の下端に位置する両側辺から前記上腕部当接範囲と前記胸部被い部とを分ける略縦線状の各境界線の下端部へ向けて折り曲げ用切り込み線をそれぞれ切り込み形成し、この折り曲げ用切り込み線によって下部側を切り離された前記上腕部当接範囲を前記境界線に沿って折り曲げ自在な折り曲げ片として機能させたことを特徴とする簡易エプロン。
【請求項２】
着用者の腹部を被う横幅を有する不織布、紙、樹脂シートなどの切断加工容易な素材から成る連続シートを該連続シートの長手方向と交わる切断線で一定の縦幅に切断して得られた縦横幅のエプロンシートであり、このエプロンシートの縦幅方向に首紐形成範囲と胸部被い部と腹部被い部を上下に配し、この胸部被い部の横幅方向の両側に配された着用者の上腕部に当接される一対の上腕部当接範囲を切除せずに残存させたエプロンシートにおいて、
前記エプロンシート（２１）の首紐形成範囲（２Ｄ）に、エプロンシートの切断上辺に沿って先端側紐部（２２Ａ）を画成する第１画成用切り込み線（２３）をエプロンシートの両側辺側に接続部（２２Ｂ，２２Ｂ）を残して切り込み形成すると共に、この第１画成用切り込み線（２３）との間に基端側紐部（２２Ｃ，２２Ｃ）を画成する第２画成用切り込み線（２４，２４）をエプロンシートの両側辺からシート幅方向の中間に位置する基接続部（２５）までそれぞれ切り込み形成し、前記接続部（２２Ｂ，２２Ｂ）を介した前記先端側紐部（２２Ａ）と前記基端側紐部（２２Ｃ，２２Ｃ）とで環状首紐（２２）をエプロンシートに切り込み形成したエプロンであり、前記エプロンシートの前記上腕部当接範囲の下端に位置する両側辺から前記上腕部当接範囲と前記胸部被い部とを分ける略縦線状の各境界線の下端部へ向けて折り曲げ用切り込み線をそれぞれ切り込み形成し、この折り曲げ用切り込み線によって下部側を切り離された前記上腕部当接範囲を前記境界線に沿って折り曲げ自在な折り曲げ片として機能させたことを特徴とする簡易エプロン。
【請求項３】
着用者の腹部を被う横幅を有する不織布、紙、樹脂シートなどの切断加工容易な素材から成る連続シートを該連続シートの長手方向と交わる切断線で一定の縦幅に切断して得られた縦横幅のエプロンシートであり、このエプロンシートの縦幅方向に首紐形成範囲と胸部被い部と腹部被い部を上下に配し、この胸部被い部の横幅方向の両側に配された着用者の上腕部に当接される一対の上腕部当接範囲を切除せずに残存させたエプロンシートにおいて、
前記エプロンシート（３１）の首紐形成範囲（２Ｄ）に、一方の先端側紐部（３２Ａ）を画成する上段切り込み線部（３４Ａ）をエプロンシートの切断上辺に沿って該シートの一側辺から他側辺近くまで接続部（３２Ｂ）を残して切り込み形成し、この上段切り込み線部（３４Ａ）との間で他方の先端側紐部（３３Ａ）を画成する下段切り込み線部（３４Ｂ）を上段切り込み線部（３４Ａ）に沿ってエプロンシートの一側辺近くまで接続部（３３Ｂ）を残して切り込み形成し、この上下段切り込み線部（３４Ａ，３４Ｂ）をエプロンシートの他側辺において縦方向の連結切り込み線部（３４Ｃ）を介して連続させ、この連結切り込み線部（３４Ｃ）を介した上下段切り込み線部（３４Ａ，３４Ｂ）で略コ字形状の切り込み線とした第１画成用切り込み線（３４）を形成すると共に、この下段切り込み線部（３４Ｂ）との間に一方の先端側紐部（３２Ａ）と連なる一方の基端側紐部（３２Ｃ）と他方の先端側紐部（３３Ａ）と連なる他方の基端側紐部（３３Ｃ）とを画成する第２画成用切り込み線（３５，３５）をエプロンシートの両側辺からシート幅方向の中間に位置する基接続部（３６）までそれぞれ切り込み形成し、一方の接続部（３２Ｂ）を介して連接した一方の先端側紐部（３２Ａ）と基端側紐部（３２Ｃ）とで一方の首紐（３２）を、他方の接続部（３３Ｂ）を介して連接した他方の先端側紐部（３３Ａ）と基端側紐部（３３Ｃ）とで他方の首紐（３３）を形成した、２本の首紐（３２，３３）をエプロンシートに切り込み形成したエプロンであり、前記エプロンシートの前記上腕部当接範囲の下端に位置する両側辺から前記上腕部当接範囲と前記胸部被い部とを分ける略縦線状の各境界線の下端部へ向けて折り曲げ用切り込み線をそれぞれ切り込み形成し、この折り曲げ用切り込み線によって下部側を切り離された前記上腕部当接範囲を前記境界線に沿って折り曲げ自在な折り曲げ片として機能させたことを特徴とする簡易エプロン。
【請求項４】
着用者の腹部を被う横幅を有する不織布、紙、樹脂シートなどの切断加工容易な素材から成る連続シートを該連続シートの長手方向と交わる切断線で一定の縦幅に切断して得られた縦横幅のエプロンシートであり、このエプロンシートの縦幅方向に胸部被い部と腹部被い部を上下に配し、この胸部被い部の横幅方向の両側に配された着用者の上腕部に当接される一対の上腕部当接範囲を切除せずに残存させたエプロンシートにおいて、
前記エプロンシートの両側部から前記上腕部当接範囲を超えたエプロンシートの上端部に亘ってシート縁部との間で首紐を画成する首紐画成用切り込み線を切り込み形成し、エプロンシートの両側辺側に形成した首紐画成用切り込み線部分で画成した首紐部を先端側とし、エプロンシートの上端側に形成した首紐画成用切り込み線部分で画成した首紐部を基端側とした、２本の首紐をエプロンシートに切り込み形成したエプロンであり、前記エプロンシートの両側辺側に形成された前記首紐画成用切り込み線部分における前記上腕部当接範囲の下端の高さ位置から前記上腕部当接範囲と前記胸部被い部とを分ける略縦線状の各境界線の下端部へ向けて折り曲げ用切り込み線をそれぞれ切り込み形成し、この折り曲げ用切り込み線によって下部側を切り離された前記上腕部当接範囲を前記境界線に沿って折り曲げ自在な折り曲げ片として機能させたことを特徴とする簡易エプロン。
【請求項５】
前記折り曲げ用切り込み線を弧状に湾曲した切り込み線とし、湾曲した凹み側が前記上腕部当接範囲の下部側に向くようにそれぞれ切り込み形成したことを特徴とする請求項１から４のいずれかに記載の簡易エプロン。
【請求項６】
前記首紐に他方の首紐の自由端側を貫通して掛着する掛着用切り込み線を切り込み形成したことを特徴とする請求項１、３、４のいずれかに記載の簡易エプロン。
【発明の詳細な説明】
【技術分野】
【０００１】
本発明は、飲食店や歯科医院などで用いられる使い捨てに適した簡易エプロンに係り、特に機械で高速製造するのに適した構造で使い易い簡易エプロンに関する。
【背景技術】
【０００２】
不織布、紙、プラスチックなどのシート素材で形成した使い捨てに適した簡易エプロンとしては、図８に示した簡易エプロンが知られている（例えば、特許文献１、２を参照。）。図８に示した簡易エプロン５０はエプロンシート５１の上端部に２本の帯状の紐５２の一端を接着５３した構造の紐接着タイプである。この簡易エプロン５０は、機械による製造過程で、エプロンシート５１の上端部の中央に湾曲した凹みの首宛て部５４を形成するためにこの首宛て部分を切除（切除されたシート片Ｓ１）していると共に、このエプロンシート５１の上端部の両側の角部を含む上腕部当接範囲５１Ｃを切除（切除されたシート片Ｓ２）している。この上腕部当接範囲５１Ｃを切除している主な理由は、着用者の腹部を被うに必要な広めのシート横幅Ｗに設定した連続シートを該連続シートの長手方向と交わる切断線Ｃでエプロンシート単位の縦幅に切断してエプロンシートを得る場合、着用者の腹部を被う腹部被い部５１Ｂの上部に配した胸部被い部５１Ａ位置も広めのシート横幅となり、この胸部被い部５１Ａの両側に位置する上腕部当接範囲５１Ｃを切除せずにそのまま残すと、着用して使用する際にこの部分が上腕部にまとわりつき、使い難いためである。
【０００３】
しかし、機械による製造過程で上腕部当接範囲５１Ｃを切除するためには抜き取る装置（例えばダイカットロール）と抜き取ったシート片を回収する装置（例えば、吸気や排気による回収手段）を必要とすると共に、抜き取ったシート片がダイカットロールに付着したり、製品中に混入したりして、確実に切除片を回収処理することは困難であり、高速生産の妨げになり、コストダウンも図りがたいものであった。また、切除される上腕部当接範囲のシート資源が無駄になり省資源化にも反する。
【０００４】
また、機械製造による簡易エプロンとして、エプロンシート本体に装着用の紐部を形成する切り込み線を切り込み、エプロン部分と紐部分を一体的に形成した構造の紐一体形成タイプがあり、種々の切り込み線形状のものが提案されている。この紐一体形成タイプのエプロンとしては、エプロンシート本体の両側部を縦長の首紐形成範囲とした構造のものが多く、しかもエプロンシートの上腕部当接範囲を切除せずにそのまま残している（例えば、特許文献３、４を参照。）。
【０００５】
しかし、エプロンシートの両側部を縦長の首紐形成範囲とした構造では、広めのシート横幅を必要とする腹部被い部の横幅を首紐形成範囲の幅だけ狭めてしまう欠点がある。また、上腕部当接範囲を切除せずにそのまま残した構造では、切除を原因とした製造上の弊害は除かれるが、エプロンシートから上腕部当接範囲を切除せずにそのまま残すと着用した際にこの部分が上腕部にまとわりつき、使い難い、という問題を残してしまう。
【０００６】
【特許文献１】特開昭５０−９４２号公報
【特許文献２】特許第３２２２８１７号公報
【特許文献３】実開平７−６２２６号公報
【特許文献４】実開平４−５３０１０号公報
【発明の開示】
【発明が解決しようとする課題】
【０００７】
本発明は、機械で高速製造するのに適した構造の簡易エプロンを提供することを第一課題とし、この課題を達成するために、エプロンシートの上腕部当接範囲を切除することなく、使い易い簡易エプロンを提案する。
【０００８】
また、いわゆる紐一体形成タイプの簡易エプロンにおいて、前記した第一課題を達成すると共に、第二課題として、腹部を被うに必要なエプロンシート幅を狭めない構造の簡易エプロンを提案する。
【課題を解決するための手段】
【０００９】
上記した第一課題を解決するため、本発明は、着用者の腹部を被う横幅を有する不織布、紙、樹脂シートなどの切断加工容易な素材から成る連続シートを該連続シートの長手方向と交わる切断線で一定の縦幅に切断して得られた縦横幅のエプロンシートであり、このエプロンシートの縦幅方向に胸部被い部と腹部被い部を上下に配し、この胸部被い部の横幅方向の両側に配された着用者の上腕部に当接される一対の上腕部当接範囲を切除せずに残存させたエプロンシートにおいて、前記上腕部当接範囲を除く前記エプロンシートの上端部に２本の首紐の一端側をそれぞれ固着して形成したエプロンであり、前記エプロンシートの前記上腕部当接範囲の下端に位置する両側辺から前記上腕部当接範囲と前記胸部被い部とを分ける略縦線状の各境界線の下端部へ向けて折り曲げ用切り込み線をそれぞれ切り込み形成し、この折り曲げ用切り込み線によって下部側を切り離された前記上腕部当接範囲を前記境界線に沿って折り曲げ自在な折り曲げ片として機能させたことを特徴とする簡易エプロンを提供する。
【００１０】
また、上記した第一及び第二課題を解決するため、本発明は、着用者の腹部を被う横幅を有する不織布、紙、樹脂シートなどの切断加工容易な素材から成る連続シートを該連続シートの長手方向と交わる切断線で一定の縦幅に切断して得られた縦横幅のエプロンシートであり、このエプロンシートの縦幅方向に首紐形成範囲と胸部被い部と腹部被い部を上下に配し、この胸部被い部の横幅方向の両側に配された着用者の上腕部に当接される一対の上腕部当接範囲を切除せずに残存させたエプロンシートにおいて、前記エプロンシート（２１）の首紐形成範囲（２Ｄ）に、エプロンシートの切断上辺に沿って先端側紐部（２２Ａ）を画成する第１画成用切り込み線（２３）をエプロンシートの両側辺側に接続部（２２Ｂ，２２Ｂ）を残して切り込み形成すると共に、この第１画成用切り込み線（２３）との間に基端側紐部（２２Ｃ，２２Ｃ）を画成する第２画成用切り込み線（２４，２４）をエプロンシートの両側辺からシート幅方向の中間に位置する基接続部（２５）までそれぞれ切り込み形成し、前記接続部（２２Ｂ，２２Ｂ）を介した前記先端側紐部（２２Ａ）と前記基端側紐部（２２Ｃ，２２Ｃ）とで環状首紐（２２）をエプロンシートに切り込み形成したエプロンであり、前記エプロンシートの前記上腕部当接範囲の下端に位置する両側辺から前記上腕部当接範囲と前記胸部被い部とを分ける略縦線状の各境界線の下端部へ向けて折り曲げ用切り込み線をそれぞれ切り込み形成し、この折り曲げ用切り込み線によって下部側を切り離された前記上腕部当接範囲を前記境界線に沿って折り曲げ自在な折り曲げ片として機能させたことを特徴とする簡易エプロンを提供する。
【００１１】
また、上記した第一及び第二課題を解決するため、本発明は、着用者の腹部を被う横幅を有する不織布、紙、樹脂シートなどの切断加工容易な素材から成る連続シートを該連続シートの長手方向と交わる切断線で一定の縦幅に切断して得られた縦横幅のエプロンシートであり、このエプロンシートの縦幅方向に首紐形成範囲と胸部被い部と腹部被い部を上下に配し、この胸部被い部の横幅方向の両側に配された着用者の上腕部に当接される一対の上腕部当接範囲を切除せずに残存させたエプロンシートにおいて、前記エプロンシート（３１）の首紐形成範囲（２Ｄ）に、一方の先端側紐部（３２Ａ）を画成する上段切り込み線部（３４Ａ）をエプロンシートの切断上辺に沿って該シートの一側辺から他側辺近くまで接続部（３２Ｂ）を残して切り込み形成し、この上段切り込み線部（３４Ａ）との間で他方の先端側紐部（３３Ａ）を画成する下段切り込み線部（３４Ｂ）を上段切り込み線部（３４Ａ）に沿ってエプロンシートの一側辺近くまで接続部（３３Ｂ）を残して切り込み形成し、この上下段切り込み線部（３４Ａ，３４Ｂ）をエプロンシートの他側辺において縦方向の連結切り込み線部（３４Ｃ）を介して連続させ、この連結切り込み線部（３４Ｃ）を介した上下段切り込み線部（３４Ａ，３４Ｂ）で略コ字形状の切り込み線とした第１画成用切り込み線（３４）を形成すると共に、この下段切り込み線部（３４Ｂ）との間に一方の先端側紐部（３２Ａ）と連なる一方の基端側紐部（３２Ｃ）と他方の先端側紐部（３３Ａ）と連なる他方の基端側紐部（３３Ｃ）とを画成する第２画成用切り込み線（３５，３５）をエプロンシートの両側辺からシート幅方向の中間に位置する基接続部（３６）までそれぞれ切り込み形成し、一方の接続部（３２Ｂ）を介して連接した一方の先端側紐部（３２Ａ）と基端側紐部（３２Ｃ）とで一方の首紐（３２）を、他方の接続部（３３Ｂ）を介して連接した他方の先端側紐部（３３Ａ）と基端側紐部（３３Ｃ）とで他方の首紐（３３）を形成した、２本の首紐（３２，３３）をエプロンシートに切り込み形成したエプロンであり、前記エプロンシートの前記上腕部当接範囲の下端に位置する両側辺から前記上腕部当接範囲と前記胸部被い部とを分ける略縦線状の各境界線の下端部へ向けて折り曲げ用切り込み線をそれぞれ切り込み形成し、この折り曲げ用切り込み線によって下部側を切り離された前記上腕部当接範囲を前記境界線に沿って折り曲げ自在な折り曲げ片として機能させたことを特徴とする簡易エプロンを提供する。
【００１２】
また、上記した第一課題を解決するため、本発明は、着用者の腹部を被う横幅を有する不織布、紙、樹脂シートなどの切断加工容易な素材から成る連続シートを該連続シートの長手方向と交わる切断線で一定の縦幅に切断して得られた縦横幅のエプロンシートであり、このエプロンシートの縦幅方向に胸部被い部と腹部被い部を上下に配し、この胸部被い部の横幅方向の両側に配された着用者の上腕部に当接される一対の上腕部当接範囲を切除せずに残存させたエプロンシートにおいて、前記エプロンシートの両側部から前記上腕部当接範囲を超えたエプロンシートの上端部に亘ってシート縁部との間で首紐を画成する首紐画成用切り込み線を切り込み形成し、エプロンシートの両側辺側に形成した首紐画成用切り込み線部分で画成した首紐部を先端側とし、エプロンシートの上端側に形成した首紐画成用切り込み線部分で画成した首紐部を基端側とした、２本の首紐をエプロンシートに切り込み形成したエプロンであり、前記エプロンシートの両側辺側に形成された前記首紐画成用切り込み線部分における前記上腕部当接範囲の下端の高さ位置から前記上腕部当接範囲と前記胸部被い部とを分ける略縦線状の各境界線の下端部へ向けて折り曲げ用切り込み線をそれぞれ切り込み形成し、この折り曲げ用切り込み線によって下部側を切り離された前記上腕部当接範囲を前記境界線に沿って折り曲げ自在な折り曲げ片として機能させたことを特徴とする簡易エプロンを提供する。
【００１３】
また、本発明の簡易エプロンは、前記折り曲げ用切り込み線を弧状に湾曲した切り込み線とし、湾曲した凹み側が前記上腕部当接範囲の下部側に向くようにそれぞれ切り込み形成したことを特徴とするものである。
【００１４】
また、２本の首紐をエプロンシートに固着した構造の本発明の簡易エプロン、及び２本の首紐をエプロンシートに切り込み形成した構造の本発明の簡易エプロンにおいては、一方の前記首紐に他方の首紐の自由端側を貫通して掛着する掛着用切り込み線を切り込み形成したことを特徴とするものである。
【発明の効果】
【００１５】
本発明の簡易エプロンによれば、上腕部当接範囲をエプロンシートから切除せずに残存させたエプロンシート構造としたため、その製造過程において切除シート片が発生せず、機械で高速製造するのに適している。しかも、残存させた上腕部当接範囲を折り曲げ用切り込み線によって上腕部当接範囲と胸部被い部とを分ける略縦線状の境界線に沿って折り曲げ自在な折り曲げ片として機能するようにしたため、使用に際して、着用者の上腕部の動きに伴って折り曲げ片として機能させた上腕部当接範囲が前記境界線に沿って折り曲げられ、この上腕部当接範囲が着用者の上腕部にまつわりつくのを防止でき、使い易いものである。
【００１６】
また、いわゆる紐一体形成タイプの簡易エプロンにおいて、首紐形成範囲をエプロンシートの上部に配した構造の本発明の簡易エプロンによれば、腹部を被うに必要なエプロンシートの横幅を狭めない構造とすることができる。
【発明を実施するための最良の形態】
【００１７】
本発明を図示した実施形態に基づき説明する。図１、図２の簡易エプロンは、エプロンシートの上端部に２本の帯状の首紐の一端側をそれぞれ接着した構造の紐接着タイプの実施形態を示している。なお、図１、図２（後述する図７も同様）においては、製造過程を説明する便宜上、エプロンシートを連続状態に作図したが、切断線（Ｃ）で各簡易エプロンに切り離されることは勿論である。
【００１８】
図１の簡易エプロン１は、着用者の腹部を被う横幅Ｗを有する不織布、紙、樹脂シートなどの切断加工容易な素材から成る連続シートを該連続シートの長手方向と交わる同じ切断線Ｃで一定の縦幅に切断して略矩形状のエプロンシート２を形成している。このエプロンシート２は、縦幅方向に胸部被い部２Ａと腹部被い部２Ｂを上下に配し、この胸部被い部２Ａの横幅方向の両側に着用者の上腕部に当接される一対の上腕部当接範囲２Ｃ，２Ｃを切除せずに残存させている。この上腕部当接範囲２Ｃ，２Ｃには、エプロンシート２の切断上辺の両端側と該エプロンシートの両側辺の上部側を含めている。前記エプロンシート２の上端部に２本の帯状の首紐３，３の一端側をそれぞれ接着４，４して紐接着タイプの簡易エプロンを構成している。２本の帯状の首紐３，３のエプロンシート２への接着位置は、前記エプロンシート２の上端中央部から着用者の首対応範囲を空け、且つ前記上腕部当接範囲２Ｃ，２Ｃを除いた位置としている。帯状の首紐３，３の材質は、エプロンシートとの接着性や着用者への接触感を考慮し、紙、樹脂フィルム、不織布などを適宜選択する。この紐接着タイプの簡易エプロンは、図１から理解できるように、給送中（図１のに上下方向）の連続シートの長手方向に２本の帯状連続紐を平行に添設すると共に、長手方向に一定間隔ごと接着し、連続シートと帯状連続紐を切断線Ｃで切断して紐接着タイプの簡易エプロンを連続的に製造できるようにしている。
【００１９】
前記エプロンシート２の前記上腕部当接範囲２Ｃ，２Ｃの下端に位置する両側辺から前記上腕部当接範囲２Ｃ，２Ｃと前記胸部被い部２Ａとを分ける略縦線状の各境界線２Ｌ，２Ｌ（２点鎖線で示した）の下端部へ向けて弧状に湾曲した折り曲げ用切り込み線５，５を湾曲した凹み側が前記上腕部当接範囲２Ｃ，２Ｃの下部側に向くようにそれぞれ左右対称に切り込み形成し、この折り曲げ用切り込み線５，５によって下部側を切り離された前記上腕部当接範囲２Ｃ，２Ｃを前記境界線２Ｌ，２Ｌに沿って折り曲げ自在な折り曲げ片６，６として機能させるようにした。図示した実施形態において、この折り曲げ用切り込み線５，５は、連続して切り込まれた切り込み線としているが、ミシン目線のように部分的に切り残し部を残して不連続に切り込んだ切り込み線を除くものではない。この折り曲げ用切り込み線５，５は、エプロンシート単位に切断される前の連続シートに切り込み形成される。
【００２０】
前記首紐３，３には波状の掛着用切り込み線７を切り込み形成し、一方の首紐３の掛着用切り込み線７に他方の首紐３の自由端側を貫通させて掛着できるようにしてある。この掛着用切り込み線７を波状に切り込み形成したことのより、摩擦抵抗が高められ、波状の切り込み線に貫通した首紐のズレを防止できるようにしている。この掛着用切り込み線７を形成したことにより、互いの首紐を結んでエプロンを装着するほか、結ばずに掛着用切り込み線７を利用して簡易にエプロンを装着することも可能にした。なお、この掛着用切り込み線７は首紐の長さ方向に所定の間隔をおいて複数切り込み形成しても良い。
【００２１】
図２の簡易エプロン１０は、エプロン単位に切断する切断線Ｃを、エプロンシート１１の上端部の中央を弧状に凹ませた中央部湾曲切断線Ｃ１と該エプロンシート１１の上端部の両端に丸みをもたせた両端部湾曲切断線Ｃ２とで形成し、これらの切断線Ｃ１，Ｃ２を一連の切断線Ｃとして形成している。連続シートを該連続シートの長手方向と交わるこの切断線Ｃ（Ｃ１，Ｃ２）でエプロンシート単位に切断していくことによって、エプロンシート１１の上部切断線と下部切断線を同じ湾曲線による切断線としたエプロンシートが得られ、図８の従来例とは異なり、首宛て部分のシートを切除せずに弧状に凹ませた首宛て部１２を形成できるようにした。図２の簡易エプロン１０において、図１の簡易エプロン１と同符号の他の構成は、図１の簡易エプロンと実質的に同じであるため、その説明は省略する。
【００２２】
図１及び図２の紐接着タイプの簡易エプロンは、エプロンシートに残存させた上腕部当接範囲２Ｃ，２Ｃを折り曲げ用切り込み線５，５によって上腕部当接範囲２Ｃ，２Ｃと胸部被い部２Ａとを分ける略縦線状の境界線２Ｌ，２Ｌに沿って折り曲げ自在な折り曲げ片６，６として機能するようにしたことにより、上腕部当接範囲２Ｃ，２Ｃを切除せずに製造でき、使用に際して、この上腕部当接範囲が着用者の上腕部にまつわりつくのを防止でき、使い易いものである。しかも図２の簡易エプロンは、首宛て部分のシートを切除せずに弧状に凹ませた首宛て部１２を形成したエプロンを製造できる。
【００２３】
図３〜図７の簡易エプロン２０，３０，４０は、エプロンシートにエプロン部分と紐部分を一体的に形成した構造の紐一体形成タイプの実施形態を示し、特に図３〜図６の簡易エプロン２０，３０は、首紐形成範囲をエプロンシートの縦幅方向の上部に配設した構造を特徴としている。
【００２４】
図３〜図６の簡易エプロン２０，３０は、着用者の腹部を被う横幅Ｗを有する不織布、紙、樹脂シートなどの切断加工容易な素材から成る連続シートを該連続シートの長手方向と交わる同じ切断線Ｃで一定の縦幅に切断して略矩形状のエプロンシート２１，３１を形成している。このエプロンシート２１，３１は、縦幅方向に首紐形成範囲２Ｄと胸部被い部２Ａと腹部被い部２Ｂを上下に配し、この胸部被い部２Ａの横幅方向の両側に配された着用者の上腕部に当接される一対の上腕部当接範囲２Ｃ，２Ｃを切除せずに残存させている。
【００２５】
図３〜図４の簡易エプロン２０は、前記エプロンシート２１の首紐形成範囲２Ｄに、エプロンシート２１の切断上辺に沿って先端側紐部２２Ａを画成する第１画成用切り込み線２３をエプロンシートの両側辺側に接続部２２Ｂを残して切り込み形成すると共に、この第１画成用切り込み線２３との間に基端側紐部２２Ｃを画成する第２画成用切り込み線２４をエプロンシートの両側辺からシート幅方向の中間に位置する基接続部２５までそれぞれ切り込み形成し、前記接続部２２Ｂを介した前記先端側紐部２２Ａと前記基端側紐部２２Ｃとで環状首紐２２をエプロンシートの上部に構成した。使用に際しては、この第１画成用切り込み線２３を切り込み線に沿って切り離すと共に、第２画成用切り込み線２４を切り込み線に沿って切り離すことによって、図４に示した環状首紐２２を形成し、この環状首紐２２を着用者の首に掛けてエプロンを着用できるようにした。前記第１画成用切り込み線２３及び第２画成用切り込み線２４は、部分的に切り残し部を残して不連続に切り込まれたミシン目状の切り込み線としている。しかし、連続して切り込まれた切り込み線を除くものではない。
【００２６】
図５〜図６の簡易エプロン３０は、前記エプロンシート３１の首紐形成範囲２Ｄに、一方の先端側紐部３２Ａを画成する上段切り込み線部３４Ａをエプロンシートの切断上辺に沿って該シートの一側辺から他側辺近くまで接続部３２Ｂを残して切り込み形成し、この上段切り込み線部３４Ａとの間で他方の先端側紐部３３Ａを画成する下段切り込み線部３４Ｂを上段切り込み線部３４Ａに沿ってエプロンシートの一側辺近くまで接続部３３Ｂを残して切り込み形成し、この上下段切り込み線部３４Ａ，３４Ｂをエプロンシートの他側辺において縦方向の連結切り込み線部３４Ｃを介して連続させ、この連結切り込み線部３４Ｃを介した上下段切り込み線部３４Ａ，３４Ｂで略コ字形状の切り込み線とした第１画成用切り込み線３４を形成すると共に、この下段切り込み線部３４Ｂとの間に一方の先端側紐部３２Ａと連なる一方の基端側紐部３２Ｃと他方の先端側紐部３３Ａと連なる他方の基端側紐部３３Ｃとを画成する第２画成用切り込み線３５，３５をエプロンシートの両側辺からシート幅方向の中間に位置する基接続部３６までそれぞれ切り込み形成し、一方の接続部３２Ｂを介して連接した一方の先端側紐部３２Ａと基端側紐部３２Ｃとで一方の首紐３２を、他方の接続部３３Ｂを介して連接した他方の先端側紐部３３Ａと基端側紐部３３Ｃとで他方の首紐３３を形成した、２本の首紐３２，３３をエプロンシートの上部に構成した。使用に際しては、この第１画成用切り込み線３４を切り込み線に沿って切り離すと共に、第２画成用切り込み線３５，３５を切り込み線に沿って切り離すことによって、図６に示したように、２本の首紐３２，３３を形成し、この首紐３２，３３を結んでエプロンを着用できるようにした。前記第１画成用切り込み線３４及び第２画成用切り込み線３５，３５は、部分的に切り残し部を残して不連続に切り込まれたミシン目状の切り込み線としている。しかし、連続して切り込まれた切り込み線を除くものではない。
【００２７】
図３〜図６の簡易エプロン２０，３０も図１〜図２の簡易エプロン１，１０と同様に、前記エプロンシート２１，３１の前記上腕部当接範囲２Ｃ，２Ｃの下端に位置する両側辺から前記上腕部当接範囲２Ｃ，２Ｃと前記胸部被い部２Ａとを分ける略縦線状の各境界線２Ｌ，２Ｌの下端部へ向けて弧状に湾曲した折り曲げ用切り込み線５，５を湾曲した凹み側が前記上腕部当接範囲２Ｃ，２Ｃの下部側に向くようにそれぞれ左右対称に切り込み形成し、この折り曲げ用切り込み線５，５によって下部を切り離された前記上腕部当接範囲２Ｃ，２Ｃを前記境界線２Ｌ，２Ｌに沿って折り曲げ自在な折り曲げ片６，６として機能させるようにした。
【００２８】
なお、図３〜図６の簡易エプロン２０，３０において、図１の簡易エプロン１と同符号の他の構成は、図１の簡易エプロンと実質的に同じであるため、その説明は省略する。
【００２９】
図３〜図６の紐一体形成タイプの簡易エプロン２０，３０は、エプロンシートに残存させた上腕部当接範囲２Ｃ，２Ｃを折り曲げ用切り込み線５，５によって上腕部当接範囲２Ｃ，２Ｃと胸部被い部２Ａとを分ける略縦線状の境界線２Ｌ，２Ｌに沿って折り曲げ自在な折り曲げ片６，６として機能するようにしたことにより、上腕部当接範囲２Ｃ，２Ｃを切除せずに製造でき、使用に際して、この上腕部当接範囲が着用者の上腕部にまつわりつくのを防止でき、使い易いものである。しかも、図３〜図６の紐一体形成タイプの簡易エプロン２０，３０は、首紐形成範囲２Ｄをエプロンシートの縦幅方向の上部に配設した構造にしたため、腹部を被うに必要なエプロンシートの横幅Ｗが狭められない利点がある。
【００３０】
図７の簡易エプロン４０は、着用者の腹部を被う横幅Ｗを有する不織布、紙、樹脂シートなどの切断加工容易な素材から成る連続シートを該連続シートの長手方向と交わる同じ切断線Ｃで一定の縦幅に切断して略矩形状のエプロンシート４１を形成している。このエプロンシート４１は、縦幅方向に胸部被い部２Ａと腹部被い部２Ｂを上下に配し、この胸部被い部２Ａの横幅方向の両側に配された着用者の上腕部に当接される一対の上腕部当接範囲２Ｃ，２Ｃを切除せずに残存させている。
【００３１】
図７の簡易エプロン４０においては、前記エプロンシート４１の両側部から前記上腕部当接範囲２Ｃ，２Ｃを超えたエプロンシートの上端部に亘ってシート縁部との間で首紐４２，４２を画成する首紐画成用切り込み線４３，４３を切り込み形成し、エプロンシートの両側辺側に形成した首紐画成用切り込み線部分４３Ａ，４３Ａで画成した首紐部４２，４２を先端側とし、エプロンシートの上端側に形成した首紐画成用切り込み線部分４３Ｂ，４３Ｂで画成した首紐部を基端側とした、２本の首紐４２，４２をエプロンシートの両側部からに上部の両端部に亘って構成した。使用に際しては、この首紐画成用切り込み線４３，４３を切り込み線に沿って切り離すことによって、２本の首紐４２，４２を形成し、この２本の首紐４２，４２を結んでエプロンを着用できるようにした。前記首紐画成用切り込み線４３，４３は、部分的に切り残し部を残して不連続に切り込まれたミシン目状の切り込み線としている。しかし、連続して切り込まれた切り込み線を除くものではない。
【００３２】
図７の簡易エプロン４０も図１〜図６の簡易エプロン１，１０，２０，３０の折り曲げ用切り込み線５，５と同様な働きをする折り曲げ用切り込み線５，５を形成している。図７の簡易エプロン４０においては、前記エプロンシートの両側辺側に形成した首紐画成用切り込み線部分４３Ａ，４３Ａにおける前記上腕部当接範囲２Ｃ，２Ｃの下端の高さ位置から前記上腕部当接範囲２Ｃ，２Ｃと前記胸部被い部２Ａとを分ける略縦線状の各境界線２Ｌ，２Ｌの下端部へ向けて弧状に湾曲した折り曲げ用切り込み線５，５を湾曲した凹み側が前記上腕部当接範囲２Ｃ，２Ｃの下部側に向くようにそれぞれ左右対称に切り込み形成し、この折り曲げ用切り込み線５，５によって下部側を切り離された前記上腕部当接範囲２Ｃ，２Ｃを前記境界線２Ｌ，２Ｌに沿って折り曲げ自在な折り曲げ片６，６として機能させている。
【００３３】
なお、図７の簡易エプロン４０において、図１及び図２の簡易エプロンと同符号の他の構成は、これらの簡易エプロンと実質的に同じであるため、その説明は省略する。
【００３４】
図７の紐一体形成タイプの簡易エプロン４０は、エプロンシートに残存させた上腕部当接範囲２Ｃ，２Ｃを折り曲げ用切り込み線５，５によって上腕部当接範囲２Ｃ，２Ｃと胸部被い部２Ａとを分ける略縦線状の境界線２Ｌ，２Ｌに沿って折り曲げ自在な折り曲げ片６，６として機能するようにしたことにより、上腕部当接範囲２Ｃ，２Ｃを切除せずに製造でき、使用に際して、この上腕部当接範囲が着用者の上腕部にまつわりつくのを防止でき、使い易いものである。
【００３５】
なお、２本の首紐をエプロンシートに接着した構造の図１及び図２の簡易エプロンと同様に、２本の首紐をエプロンシートに切り込み形成した構造の図５、図６、図７の簡易エプロンにおいても、図示は省略したが、一方の首紐に他方の首紐の自由端側を貫通して掛着する波状の掛着用切り込み線７を切り込み形成してある。
【実施例１】
【００３６】
図１及び図２の簡易エプロン１，１０において、腹部被い部２Ｂにおける横幅長さ（横幅Ｗ）を約４０センチメートル、胸部被い部２Ａにおける最小横幅長さを約２６センチメートル、胸部被い部２Ａの両側に位置する一対の上腕部当接範囲２Ｃ，２Ｃ（折り曲げ片６，６）における最大横幅長さを各約７センチメートルとしている。
【図面の簡単な説明】
【００３７】
【図１】本発明の紐接着タイプの簡易エプロンを説明的に示す正面図である。
【図２】本発明の紐接着タイプの簡易エプロンの他の実施例を示す正面図である。
【図３】本発明の紐一体形成タイプの簡易エプロンを示す正面図である。
【図４】図３の簡易エプロンの使用状態を示す斜視図である。
【図５】本発明の紐一体形成タイプの簡易エプロンの他の形態を示す正面図である。
【図６】図５の簡易エプロンの使用状態を示す斜視図である
【図７】本発明の紐一体形成タイプの簡易エプロンの他の形態を示す正面図である。
【図８】従来の紐接着タイプの簡易エプロンを説明的に示す正面図である。
【符号の説明】
【００３８】
１  簡易エプロン
Ｗ  横幅
Ｃ  切断線
２  エプロンシート
２Ａ  胸部被い部
２Ｂ  腹部被い部
２Ｃ  上腕部当接範囲
３  首紐
２Ｌ  境界線
５  折り曲げ用切り込み線
６  折り曲げ片
７  掛着用切り込み線
１０  簡易エプロン
Ｃ１  中央部湾曲切断線
Ｃ２  両端部湾曲切断線
１２  首宛て部
２０  簡易エプロン
２Ｄ  首紐形成範囲
２２  環状首紐
２２Ａ  先端側紐部
２２Ｂ  接続部
２２Ｃ  基端側紐部
２３  第１画成用切り込み線
２４  第２画成用切り込み線
２５  基接続部
３０  簡易エプロン
３２  首紐
３２Ａ  先端側紐部
３２Ｂ  接続部
３２Ｃ  基端側紐部
３３  首紐
３３Ａ  先端側紐部
３３Ｂ  接続部
３３Ｃ  基端側紐部
３４  第１画成用切り込み線
３４Ａ  上段切り込み線部
３４Ｂ  下段切り込み線部
３４Ｃ  連結切り込み線部
３５  第２画成用切り込み線
３６  基接続部
４０  簡易エプロン
４２  首紐
４３  首紐画成用切り込み線
【図１】
2008266816.tif 000003
【図２】
2008266816.tif 000004
【図３】
2008266816.tif 000005
【図４】
2008266816.tif 000006
【図５】
2008266816.tif 000007
【図６】
2008266816.tif 000008
【図７】
2008266816.tif 000009
【図８】
2008266816.tif 000010